(57)【要約】【課題】品質が高く、オリジナリティとユーザの満足度が高められたアルバムと収納ケースを提供する。【解決手段】写真アルバムと該写真アルバムを収納する収納ケースの製造方法であって、ユーザの依頼を受けて写真を撮影する撮影工程と、該写真を編集した該写真アルバムを作成するアルバム作成工程と、該写真を利用した該収納ケースを作成するケース作成工程とを備え、該収納ケースは、該写真が印刷または接着された表紙を有する。【選択図】図１
2017105048.tif 000002
【特許請求の範囲】
【請求項１】
写真アルバムと該写真アルバムを収納する収納ケースの製造方法であって、
ユーザの依頼を受けて写真を撮影する撮影工程と、
該写真を編集した該写真アルバムを作成するアルバム作成工程と、
該写真を利用した該収納ケースを作成するケース作成工程とを備え、
該収納ケースは、該写真が印刷または接着された表紙を有する
ことを特徴とするアルバムと収納ケースの製造方法。
【請求項２】
該アルバム作成工程は、該ユーザの依頼に応じて該写真アルバムを作成する
ことを特徴とする請求項１に記載のアルバムと収納ケースの製造方法。
【請求項３】
該ケース作成工程は、該ユーザの依頼に応じて該収納ケースを作成する
ことを特徴とする請求項１または請求項２に記載のアルバムと収納ケースの製造方法。
【請求項４】
該撮影工程で得られた写真を修整する修整工程を備え、
該アルバム作成工程及び該ケース作成工程では、該修整工程により修整された写真を用いる
ことを特徴とする請求項１〜３のいずれか一項に記載のアルバムと収納ケースの製造方法。
【請求項５】
該表紙に印刷または接着される該写真は、該ユーザの所望によって大きさ、位置、または形が決められる
ことを特徴とする請求項１〜４のいずれか一項に記載のアルバムと収納ケースの製造方法。
【請求項６】
写真アルバムを収納する収納ケースであって、
該収納ケースは、該写真アルバムに含まれるいずれかの写真が表紙に印刷または接着されている
ことを特徴とする収納ケース。
【請求項７】
該表紙に印刷または接着される該写真は、該ユーザの所望によって大きさ、位置、または形状が決められる
ことを特徴とする請求項６に記載の収納ケース。
【発明の詳細な説明】
【技術分野】
【０００１】
本発明は、写真アルバムを収納する収納ケース、及びアルバムと収納ケースの製造方法に関するものである。
【背景技術】
【０００２】
従来より、撮影した写真を編集して、これを保存する写真アルバム（以降、単に「アルバム」とも称する。）が知られている。また、ユーザからの個性的なアルバムを求めるニーズの高まりを受けて、オリジナルの写真を表紙にプリントしたアルバムが提供されている（例えば、特許文献１参照）。
【先行技術文献】
【特許文献】
【０００３】
【特許文献１】特開２００３−４８３８１号公報
【発明の概要】
【発明が解決しようとする課題】
【０００４】
近年、さらにオリジナリティの高いアルバム及びその関連商品を求める気運が高まっている。このような関連商品としては、アルバムを収納して、アルバムの贈答または保存に用いられる収納ケースが挙げられる。
【０００５】
ところで、情報技術やネットワーク関連インフラの発展に伴い、ネットワークを介してファイルサイズの大きい写真のデータを転送することが可能になってきている。これにより、例えば写真スタジオが写真の撮影を行い、アルバムや収納ケース等の写真関連商品の製造サービスを行う業者に撮影した写真の画像データを転送して、この業者に商品の作製を委託するアウトソーシングが可能となっている。
【０００６】
上述したように、写真関連商品の製造サービスを行う外部の業者に作製を委託することで、自社が有しない製造ノウハウを活用して、ユーザに商品を提供することができる。しかしながら、この場合には、内部で行う写真の撮影の段階から、外部で行う商品の作製に至る流れの中で、連携した作業を行うことができないため、商品の品質を高めることが困難となる。また、ユーザの要望に対して、個々の案件に応じて自由度の高い対応をとることができずないため、ユーザが満足する商品を提供することが困難となる。
【０００７】
本発明は、上記のような課題に鑑みなされたもので、本発明の目的の一つは、品質が高く、オリジナリティとユーザの満足度が高められたアルバムと収納ケースを提供することである。なお、この目的に限らず、後述する発明を実施するための形態に示す各構成により導かれる作用効果であって、従来の技術によっては得られない作用効果を奏することも本発明の他の目的である。
【課題を解決するための手段】
【０００８】
（１）ここで開示するアルバムと収納ケースの製造方法は、写真アルバムと該写真アルバムを収納する収納ケースの製造方法であって、ユーザの依頼を受けて写真を撮影する撮影工程と、該写真を編集した該写真アルバムを作成するアルバム作成工程と、該写真を利用した該収納ケースを作成するケース作成工程とを備え、該収納ケースは、該写真が印刷または接着された表紙を有する。
【０００９】
（２）このとき、該アルバム作成工程は、該ユーザの依頼に応じて該写真アルバムを作成することが好ましい。
（３）また、該ケース作成工程は、該ユーザの依頼に応じて該収納ケースを作成することが好ましい。
（４）さらに、該撮影工程で得られた写真を修整する修整工程を備え、該アルバム作成工程及び該ケース作成工程では、該修整工程により修整された写真を用いることが好ましい。
（５）また、該表紙に印刷または接着される該写真は、該ユーザの所望によって大きさ、位置、または形が決められることが好ましい。
（６）ここで開示する収納ケースは、写真アルバムを収納する収納ケースであって、該収納ケースは、該写真アルバムに含まれるいずれかの写真が表紙に印刷または接着されている。
（７）該表紙に印刷または接着される該写真は、該ユーザの所望によって大きさ、位置、または形状が決められることが好ましい。
【発明の効果】
【００１０】
本発明によれば、品質が高く、オリジナリティとユーザの満足度が高められたアルバムと収納ケースを提供することができる。
【図面の簡単な説明】
【００１１】
【図１】実施形態に係るアルバムと収納ケースの製造方法の一例を示すフローチャートである。
【図２】本実施形態のアルバムの表紙を示す模式図である。
【図３】本実施形態の収納ケースの表紙を示す模式図である。
【発明を実施するための形態】
【００１２】
以下、図面を参照して本発明の実施の形態について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１３】
［１．アルバムと収納ケース］
図２に示すように、本実施形態に係るアルバム１１は、写真を保存する写真アルバムでる。アルバム１１には、表表紙１３、背表紙１４、裏表紙１５に、それぞれ写真３１ａ，３１ｂ，３１ｃが表示されている。以降、表表紙１３、背表紙１４、及び裏表紙１５を特に区別しない場合には、これらを「表紙１２」と称する場合がある。また、写真３１ａ，３１ｂ，３１ｃを特に区別しない場合には、「写真３１」と同じ符号を付して称する場合がある。アルバム１１の形状は、写真を保管できるものであれば特に限定されないが、例えば、図２に示すように、表紙１２に表示される写真３１、及び内部に表示される図示しない写真をそれぞれ印画紙に印刷して、これらの印画紙を台紙に貼り付けたものを製本して作製されるアルバムである。
【００１４】
本実施形態に係る収納ケース２１は、アルバム１１を収納する容器である。収納ケース２１の形状は、アルバム１１を内部に格納できるものであれば特に限定されないが、例えば、図３に示すように、アルバムを内部に収納する身部とこの身部を覆って閉じる蓋部とを備える箱状のケースである。または、収納ケース２１の形状は、アルバムを挿入するための開口面を有するスリーブケース状であってもよい。
【００１５】
図３に示すように、本実施形態に係る収納ケース２１は、その外側、すなわち収納ケース２１の表表紙２３、背表紙２４、裏表紙２５に、それぞれ写真４１ａ，４１ｂ，４１ｃが表示されている。以降、表表紙２３、背表紙２５、及び裏表紙２５を特に区別しない場合には、これらを「表紙２２」と称する場合がある。また、写真４１ａ，４１ｂ，４１ｃを特に区別しない場合には、「写真４１」と同じ符号を付して称する場合がある。
【００１６】
収納ケース２１には、収納ケース２１に収納されるアルバム１１に含まれるいずれかの写真が表示されている。収納ケース２１には、アルバム１１の内部に含まれる写真が表示されもよく、アルバム１１の表紙１２に含まれる写真が表示されてもよく、アルバム１１の表紙１２に表示される写真３１ａ，３１ｂ，３１ｃと共通する写真４１ａ，４１ｂ，４１ｃが、対応する位置関係で表示されていてもよい。
【００１７】
アルバム１１の表紙２２への写真３１の表示、もしくはアルバム１１の内部への図示しない写真の表示、または収納ケース２１への写真４１の表示は、特に限定されず公知の方法により行うことができる。例えば、写真３１，４１を印画紙またはケースに印刷することによって行ってもよく、写真３１，４１を印刷した印画紙を台紙またはケースに接着することによって行ってもよく、また、写真４１を印刷した印画紙を用いてアルバムまたはケースを形成してもよい。アルバム１１または収納ケース２１に表示（印刷または接着）される写真３１，４１は、ユーザの所望によって、大きさ、位置、または形状などの配置が決められるようになっている。また、収納ケース２１の表紙２２に表示される写真４１は、ユーザの所望によって、アルバム１１に含まれるいずれの写真を用いるかが決められるようになっている。また、アルバム１１の表紙１２に表示される写真３１は、ユーザの所望によって、アルバム１１の内部に含まれるいずれの写真を用いるかが決められるようになっている。
【００１８】
このように、本実施形態に係る収納ケース２１は、アルバム１１に含まれる写真が印刷または接着された表紙２２を有する。これにより、アルバム１１と収納ケース２１には、共通する写真が用いられることになる。このとき、アルバム１１と収納ケース２１とに用いられる共通する写真とは、撮影により得られた同じ写真を基にしたものであればよく、写真の配置にあわせて、いずれかが適宜、トリミング（クロッピング）、拡大、縮小、回転、明るさの変更、または濃淡の変更などの変更を受けたものであってもよい。
【００１９】
［２．アルバムと収納ケースの製造方法］
以下、図１を参照しながら、本実施形態に係るアルバム１１と収納ケース２１の製造方法について説明する。
【００２０】
図１に示すように、本実施形態の製造方法は、作業の順序に従って、撮影工程Ｓ１１、編集工程Ｓ１２、修整工程Ｓ１３、アルバム作製工程Ｓ１４、ケース作製工程Ｓ１５、及び収納工程Ｓ１６を備えて構成される。本実施形態の製造方法は、これらの工程を全て一箇所で完結して行うワンストップサービスである。ここでいうワンストップサービスとは、全ての工程を行う主体が一貫しており、各工程を包括して、一連の流れとして連携して行うことをいう。なお、主体が一貫するとは、一人のスタッフが全ての工程を行うことを意味するのではなく、例えば工程の途中、または工程のうち一つ以上を外部に依頼して行わせるものではないことをいう。また、一箇所とは、物理的に一つの場所で全ての工程を行うことを意味するものではなく、例えば撮影工程Ｓ１１は写真スタジオで行い、編集工程Ｓ１２、修整工程Ｓ１３、アルバム作製工程Ｓ１４、ケース作製工程Ｓ１５、及び収納工程は別の場所にあるラボで行うようにしてもよい。以下これらの工程を順に説明する。
【００２１】
＜撮影工程＞
撮影工程Ｓ１１では、ユーザの依頼を受けて写真を撮影する。写真の撮影は特に限定されず、公知の撮影機材、撮影方法によって行うことができる。撮影は、被写体、撮影の時期、場所、シチュエーション、服装などの、どのようなアルバム１１を作成したいかというユーザの依頼に応じて、これに適した写真を撮影する。
を決定する。
【００２２】
＜編集工程＞
編集工程Ｓ１２では、撮影工程Ｓ１１により得られた写真の編集を行う。写真の編集としては、撮影された写真の中からアルバム１１及び収納ケース２１に使用する写真の選択を行う。また、選択された写真を、どのようにアルバム１１及び収納ケース２１に配置するかのレイアウトについても決定する。写真の配置では、例えば、アルバム１１及び収納ケース２１における写真の大きさ、位置、形状等について決定する。編集工程Ｓ１２では、アルバム１１に含まれる少なくとも一つの写真が収納ケース２１の表紙２２にも用いられるように、写真を選択して収納ケース２１へのレイアウトを行う。また、アルバム１１の内部に表示される写真が表紙１２にも用いられるように、写真を選択してアルバム１１へのレイアウトを行う。
【００２３】
写真の編集は、ユーザの求めに応じて行うことが好ましい。例えば、ユーザが望む写真を選択してアルバム１１に使用する。また、ユーザが希望する写真を拡大して大きく表示するようレイアウトする。また、アルバム１１に含まれる写真から、ユーザの好みの写真を収納ケース２１の表紙２２に表示する。また、アルバム１１の内部に含まれる写真から、ユーザの好みの写真をアルバム１１の表紙１２に表示する。
【００２４】
＜修整工程＞
修整工程Ｓ１３では、撮影工程Ｓ１１で得られて、さらに編集工程Ｓ１２で選択された写真を修整する。写真の修整は、特に限定されず公知の方法により行うことができ、例えば、写真のトリミング（クロッピング）、拡大、縮小、回転、明るさの変更、濃淡の変更、レタッチなどが挙げられる。
【００２５】
写真の修整は、ユーザの求めに応じて行うことが好ましい。例えば、ユーザの好みに応じて、写真の色調を変化させる。また、ユーザの希望によって、皺やほくろの軽減、除去を行う。
【００２６】
＜アルバム作製工程＞
アルバム作成工程Ｓ１４では、写真を編集したアルバム１１を作成する。アルバム１１は、編集工程Ｓ１２及び修整工程Ｓ１３を経て得られた写真のデータに基づいて、表紙１２に表示される写真３１を印画紙に印刷し、内部に表示される写真を印画紙に印刷して、これらの印画紙を台紙に貼り付けて製本することで作製する。
【００２７】
＜ケース作製工程＞
ケース作製工程Ｓ１５では、写真を利用した収納ケース２１を作成する。収納ケース２１は、編集工程Ｓ１２及び修整工程Ｓ１３を経て得られた写真のデータに基づいて、写真４１を印画紙に印刷して、この印画紙を台紙に接着して箱状に成型することで作製する。このとき、収納ケース２１の表紙２２に表示される写真４１は、アルバム１１に含まれるいずれかの写真を用いる。
【００２８】
＜収納工程＞
収納工程Ｓ１６では、アルバム作成工程Ｓ１４を経て得られたアルバム１１を、ケース作成工程Ｓ１５を経て得られた収納ケース２１に収納する。その後、収納ケース２１に出荷用の梱包を行い、ユーザに向けて発送を行う。
【００２９】
＜アルバムと収納ケースの製造における一貫性について＞
本実施形態に係るアルバム１１と収納ケース２１の製造は、上述した工程を経て行われる。ここで、撮影工程Ｓ１１における写真の撮影には、被写体との距離、角度、ズームなどの構図、焦点距離、絞り、露出などの撮影技術、背景や照明の工夫、顔のメイクやヘアーメイク、着付けなどのデザイン性などの撮影に関する技能の習熟が要求される。品質の高いアルバム１１及び収納ケース２１は、このような技能を習熟した者が撮影を行うことで得られる写真を利用することによって提供することが可能となる。すなわち、単に写真の編集工程Ｓ１２、修整工程Ｓ１３、アルバム作製工程Ｓ１４、及びケース作製工程Ｓ１５を独立して行うのではなく、撮影工程Ｓ１１の時点から一貫して高品質な作業を行うことにより達成できるものである。
【００３０】
［３．作用及び効果］
本実施形態に係るアルバム１１と収納ケース２１の製造方法は、上述のように構成されるため、以下のような作用及び効果を得ることができる。
【００３１】
（１）上記のアルバム１１と収納ケース２１の製造方法では、写真の撮影、アルバム１１の作成、及び収納ケース２１の作成を行う。これにより、写真の撮影から、アルバム１１及び収納ケース２１の完成に至るまでの工程を一貫してカバーすることができるため、アルバム１１及び収納ケース２１の品質を高めることができる。また、一貫した作業を行うことにより、ユーザの依頼を受けて写真を撮影して、続くアルバム１１及び収納ケース２１の作成にもユーザの依頼を直接的に反映させることができることから、ユーザの依頼に応じたオリジナリティが高く、満足度が高められた商品を提供することが出来る。
【００３２】
また、上記のアルバム１１と収納ケース２１の製造方法では、収納ケース２１には、写真４１が印刷または接着された表紙２２を有する。収納ケース２１の表紙２２は、これを見る者の最初に目が留まる箇所であって、目立つ箇所であるから、本製造方法によるオリジナリティを効果的に反映させることが可能となる。
【００３３】
（２）上記のアルバム１１と収納ケース２１の製造方法では、ユーザの依頼に応じてアルバム１１または収納ケース２１を作成することにより、写真の撮影と組み合せてよりユーザの意向が反映されたオリジナリティの高い商品を提供することが出来る。
【００３４】
（３）上記のアルバム１１と収納ケース２１の製造方法では、ユーザの依頼に沿った方向に撮影された写真に対してさらに修整を加えることで、よりオリジナリティと満足度が高められた商品を提供することが出来る。
【００３５】
（４）上記のアルバム１１と収納ケース２１の製造方法では、表紙２２に印刷または接着される写真４１は、ユーザの所望によって大きさ、位置、または形が決められる。これにより、さらにオリジナリティと満足度が高められた商品を提供することが出来る。特に、収納ケース２１の背表紙２４に写真４１ｂを表示した場合、収納ケース２１を本棚等に収納しても、一目でアルバム１１の内容を判別することができる。
【００３６】
（５）また、上記の収納ケース２１は、アルバム１１に含まれるいずれかの写真が印刷または接着されたものであることにより、アルバム１１と収納ケース２１では、共通する写真が用いられている。このため、アルバム１１と収納ケース２１との一体性が強まり、収納ケース２１を見た者が、一見してアルバム１１に含まれる写真の内容を把握することができる。さらに、収納ケース２１を見た者に対して、写真４１が撮影された情景を思い起こさせることで、記憶と連動した強い印象を与えることができる。
【００３７】
（６）上記の収納ケース２１は、表紙２２に印刷または接着される写真４１が、ユーザの所望によって大きさ、位置、または形状が決められる。これにより、上記の収納ケース２１によれば、オリジナリティが高く、ユーザ及びこれを受け取ったものに対して、唯一無二の希少性を感じさせる収納ケース２１を提供することができる。
【００３８】
［４．その他］
上述の実施形態では、編集工程Ｓ１２に次いで修整工程Ｓ１３を行う製造方法を例示したが、修整工程Ｓ１３を先に行い、次いで編集工程Ｓ１２を行うようにしてもよい。この場合、撮影工程Ｓ１１により得られた写真の修整を行って、修整後の写真を用いてアルバムまたは収納ケース２１への配置等の編集を行う。
【００３９】
上述の実施形態では、アルバム作製工程Ｓ１４に次いでケース作製工程Ｓ１５を行う製造方法を例示したが、これらの工程の順番は限定されず、ケース作製工程Ｓ１５を先に行い、次いでアルバム作製工程Ｓ１４を行うようにしてもよい。または、ケース作製工程Ｓ１５とアルバム作製工程Ｓ１４とを平行して行ってもよい。
【符号の説明】
【００４０】
１１  アルバム
１２  アルバムの表紙
１３  アルバムの表表紙
１４  アルバムの背表紙
１５  アルバムの裏表紙
２１  収納ケース
２２  収納ケースの表紙
２３  収納ケースの表表紙
２４  収納ケースの背表紙
２５  収納ケースの裏表紙
３１，４１  写真
【図１】
2017105048.tif 000003
【図２】
2017105048.tif 000004
【図３】
2017105048.tif 000005